(57)【特許請求の範囲】
【請求項１】
複数の超音波振動子が半円筒状かつ外側に向けて配列された超音波振動子アレイと、
前記複数の超音波振動子の配列面に対して垂直となる、前記超音波振動子アレイの端面側に設けられ、前記複数の超音波振動子とそれぞれ導通する複数の電極を持つ電極部と、
前記複数の超音波振動子の配列面に対して内側となる、前記超音波振動子アレイの背面に配設されたバッキング材層と、
前記電極部の複数の電極と電気的に接続される複数の配線にそれぞれ複数のケーブルが配設されるケーブル配線部と、を有し、
前記複数の超音波振動子の配列面に対して垂直となる、前記バッキング材層の幅は、前記複数の超音波振動子の配列面とは逆側に向かって細くなり、
前記ケーブル配線部は、前記バッキング材層の幅に沿って設けられることを特徴とする超音波振動子ユニット。
【請求項２】
更に、前記超音波振動子アレイの側面側に貼り付けられ、かつ、前記電極部の複数の電極と電気的に接続されるフレキシブルプリント配線基板を有し、
前記ケーブル配線部は、前記フレキシブルプリント配線基板を介して前記電極部の複数の電極と電気的に接続される複数の配線にそれぞれ複数のケーブルが配設されるものである請求項１に記載の超音波振動子ユニット。
【請求項３】
前記バッキング材層は、前記超音波振動子アレイの上面に設置される音響整合層の幅方向の側面よりも外側の領域において、前記複数の超音波振動子の配列面とは逆側に向かって細くなることを特徴とする請求項１又は２に記載の超音波振動子ユニット。
【請求項４】
前記バッキング材層は、前記超音波振動子アレイと当接する面からの厚さが３ｍｍ以内の領域かつ前記音響整合層の幅方向の側面よりも外側の領域において、前記複数の超音波振動子の配列面とは逆側に向かって細くなる請求項３に記載の超音波振動子ユニット。
【請求項５】
前記バッキング材層は、前記超音波振動子アレイと当接する面からの厚さが３ｍｍを超える領域かつ前記音響整合層の幅方向の側面よりも内側の領域において、前記複数の超音波振動子の配列面とは逆側に向かって細くなる請求項３又は４に記載の超音波振動子ユニット。
【請求項６】
前記バッキング材層は、前記バッキング材層の幅が前記複数の超音波振動子の配列面とは逆側に向かって階段状に細くなる請求項１〜５のいずれか一項に記載の超音波振動子ユニット。
【請求項７】
前記バッキング材層は、前記バッキング材層の幅が前記複数の超音波振動子の配列面とは逆側に向かって傾斜状に細くなる請求項１〜５のいずれか一項に記載の超音波振動子ユニット。
【請求項８】
前記バッキング材層の幅方向の側面から前記ケーブル配線部及び前記バッキング材層の下側までを囲うハウジングと、
前記バッキング材層と前記ハウジングとの隙間を埋める充填剤層を有する請求項１〜７のいずれか一項に記載の超音波振動子ユニット。
【請求項９】
前記充填剤層は、前記充填剤層の音響インピーダンスをＺｐとし、かつ前記バッキング材層の音響インピーダンスをＺｂとしたときに、下記式（１）を用いて表される、前記充填剤層と前記バッキング材層との音響インピーダンス反射率Ｑが５０％以下である請求項８に記載の超音波振動子ユニット。
Ｑ＝１００×｜Ｚｐ−Ｚｂ｜／（Ｚｐ＋Ｚｂ）      …（１）
ただし、音響インピーダンスＺｐ及びＺｂの単位は、ｋｇ／ｍ２ｓである。
【請求項１０】
前記充填剤層は、熱伝導率が１．０Ｗ／（ｍ・Ｋ）以上である請求項８又は９に記載の超音波振動子ユニット。
【発明の詳細な説明】
【技術分野】
【０００１】
本発明は、小型超音波装置を実現するための超音波振動子配線構造を有する超音波振動子ユニットに関するものである。
【背景技術】
【０００２】
超音波内視鏡は、経消化管による胆嚢又は膵臓の観察を主な目的として、内視鏡の先端部に超音波観察部を設けたものである。超音波内視鏡を安全に消化管へ挿入するために、超音波内視鏡の先端部には、超音波観察部の他に、超音波観察部を設けていない通常の内視鏡と同様に、光学センサ照明手段、送気口、送水口及び吸引口が設けられている。そのため、超音波内視鏡の先端部の外径は大きくなり、超音波内視鏡の操作性の低下及び超音波内視鏡の先端部を挿入される患者の負担が増加する要因となっている。【０００３】
そこで、超音波内視鏡の操作性の向上及び患者の負担の軽減のために、超音波観察部の小型化が求められており、近年では、配線作業における作業性を改善するとともに、超音波内視鏡の超音波観察部を小型化することが試みられている（特許文献１〜特許文献５参照）。【０００４】
特許文献１は、音響整合層と圧電素子と背面制動層とを各々有する超音波振動子アレイと、その各圧電素子と超音波振動子アレイの幅方向の中央部付近において電気的に接続され、硬質基板と、複数の信号芯線からなる信号ケーブル束と、硬質基板及び信号ケーブル束との間に介在し両者を電気的に接続するフレキシブルプリント配線基板とを有する超音波振動子ユニットを開示している。更に、超音波振動子アレイと、ケーブル束及びフレキシブルプリント配線基板は別体構造であり、両者は熱圧着を手段として用いて接続されて、その後、フレキシブルプリント配線基板は複数回折り畳まれた形態となるように構成される。【０００５】
特許文献２は、超音波を送受信する超音波送受信部と、超音波送受信部の背面側に電気的に接続された配線基板と、配線基板に電気的に接続された複数の駆動配線と、配線基板を収容して超音波送受信部を保持するハウジングと、を有する超音波内視鏡を開示している。配線基板は、複数の超音波振動子とその幅方向の中央部付近において電気的に接続される硬質な回路基板と、駆動配線を包み束ねる包被部を有し、駆動配線が包被部に包み束ねられた状態でハウジングに挿入される。
特許文献３は、超音波探触子において、凸曲面上に配置された超音波振動子アレイの両側から交互に接続した信号線を、両面に導電路が形成された、単一のフレキシブルプリント配線基板により、一側面側から電極を導出することを開示している。【０００６】
特許文献４は、超音波振動子ユニットの振動子基板に、超音波振動子アレイの幅方向の中央部付近から延伸するように配列され、超音波振動子と電気的に接続するためのパッド電極群の各パッド電極と、櫛状のリード状電極群を有する同軸ケーブルアッセンブリを有する電子走査型超音波プローブを開示している。超音波振動子ユニットのパッド電極と同軸ケーブルアッセンブリのリードとの接続に際して、各パッド電極と櫛状のリード状電極群との位置合わせを行う。
特許文献５は、超音波振動子アレイの幅方向の中央部付近において、超音波振動子アレイの電極と電気的に接続され、それぞれ超音波振動子アレイの電極の半分と電気的に接続される第１及び第２の信号パターン群を有するプリント基板を備える超音波探触子を開示している。第１及び第２の信号パターン群は、それぞれ異なる方向において同軸ケーブルと配線される。
【先行技術文献】
【特許文献】
【０００７】
【特許文献１】特許第４４４５７６４号
【特許文献２】特許第５３９９５９４号
【特許文献３】特公平８−４３５９号
【特許文献４】特許第４９８０６５３号
【特許文献５】特許第３８０２７５６号
【発明の概要】
【発明が解決しようとする課題】
【０００８】
ところで、通常、超音波内視鏡の先端部に設けられる超音波観察部は、超音波振動子がアレイ状に配設されており、それぞれの超音波振動子には、ケーブルが配線されるが、超音波観察部はその外径が小さく、超音波観察部内の配線は複雑な作業であるため、手作業で行われることが多い。したがって、外径の小さい超音波観察部内でのケーブルの取り扱いが複雑であることに加えて、超音波観察部内においてケーブルを高密度に配線する必要があるため、作業性が悪く、超音波内視鏡の製造コストが高くなる要因となっている。このように、超音波観察部の製造安定性及びその製造コストの観点から、超音波観察部の小型化は、非常に難しいという問題があった。【０００９】
また、特許文献１及び特許文献３では、超音波振動子ユニットのフレキシブルプリント配線基板が折り畳まれる構造を有しているために、ケーブル束及びフレキシブルプリント配線基板の配線構造が複雑であり、超音波振動子アレイと、ケーブル束及びフレキシブルプリント配線基板を熱圧着で接続するといえども、配線の作業性には未だ問題があった。特に、特許文献１では、超音波振動子ユニットの製造時に、フレキシブルプリント配線基板を複数回折り畳む際にケーブルに負担がかかり、負担のかかったケーブル配線が断線するという問題があった。【００１０】
また、特許文献１、特許文献２、特許文献４及び特許文献５では、いずれも超音波振動子アレイの幅方向の中央部付近において、超音波振動子アレイの電極と配線基板とを電気的に接続している。この構造は、製造が非常に困難であり、製造の成功率が高くないという問題があった。【００１１】
本発明は、このような従来の問題点を解消するためになされたもので、小型化ができ、かつ配線をする際に作業性の良い配線構造を有する超音波振動子ユニットを提供することを目的とする。
【課題を解決するための手段】
【００１２】
上記目的を達成するために、本発明は、複数の超音波振動子が半円筒状かつ外側に向けて配列された超音波振動子アレイと、
複数の超音波振動子の配列面に対して垂直となる、超音波振動子アレイの端面側に設けられ、複数の超音波振動子とそれぞれ導通する複数の電極を持つ電極部と、
複数の超音波振動子の配列面に対して内側となる、超音波振動子アレイの背面に配設されたバッキング材層と、
電極部の複数の電極と電気的に接続される複数の配線にそれぞれ複数のケーブルが配設されるケーブル配線部と、を有し、
複数の超音波振動子の配列面に対して垂直となる、バッキング材層の幅は、複数の超音波振動子の配列面とは逆側に向かって細くなり、
ケーブル配線部は、バッキング材層の幅に沿って設けられることを特徴とする超音波振動子ユニットを提供するものである。【００１３】
更に、超音波振動子アレイの側面側に貼り付けられ、かつ、電極部の複数の電極と電気的に接続されるフレキシブルプリント配線基板を有し、
ケーブル配線部は、フレキシブルプリント配線基板を介して電極部の複数の電極と電気的に接続される複数の配線にそれぞれ複数のケーブルが配設されることが好ましい。
【００１４】
また、バッキング材層は、超音波振動子アレイの上面に設置される音響整合層の幅方向の側面よりも外側の領域において、複数の超音波振動子の配列面とは逆側に向かって細くなることが好ましい。
【００１５】
また、バッキング材層は、超音波振動子アレイと当接する面からの厚さが３ｍｍ以内の領域かつ音響整合層の幅方向の側面よりも外側の領域において、複数の超音波振動子の配列面とは逆側に向かって細くなることが好ましい。【００１６】
また、バッキング材層は、超音波振動子アレイと当接する面からの厚さが３ｍｍを超える領域かつ音響整合層の幅方向の側面よりも内側の領域において、複数の超音波振動子の配列面とは逆側に向かって細くなることが好ましい。【００１７】
また、バッキング材層は、バッキング材層の幅が複数の超音波振動子の配列面とは逆側に向かって階段状に細くなることが好ましい。【００１８】
もしくは、バッキング材層は、バッキング材層の幅が複数の超音波振動子の配列面とは逆側に向かって傾斜状に細くなることが好ましい。【００１９】
また、バッキング材層の幅方向の側面からケーブル配線部及びバッキング材層の下側までを囲うハウジングと、
バッキング材層とハウジングとの隙間を埋める充填剤層を有することが好ましい。【００２０】
充填剤層は、充填剤層の音響インピーダンスをＺｐとし、かつバッキング材層の音響インピーダンスをＺｂとしたときに、下記式（１）を用いて表される、充填剤層とバッキング材層との音響インピーダンス反射率Ｑが５０％以下であることが好ましい。
Ｑ＝１００×｜Ｚｐ−Ｚｂ｜／（Ｚｐ＋Ｚｂ）      …（１）
ただし、音響インピーダンスＺｐ及びＺｂの単位は、ｋｇ／ｍ２ｓである。【００２１】
また、充填剤層は、熱伝導率が１．０Ｗ／（ｍ・Ｋ）以上であることが好ましい。
【発明の効果】
【００２２】
本発明においては、超音波振動子の配列面とは逆側に向かって細くなるバッキング材層に沿ってケーブル配線部が設けられる。
これにより、本発明によれば、超音波振動子アレイにケーブルを配線するための空間を確保できるので、配線の際の作業性を高めるとともに、簡単な構造を用いて超音波振動子ユニットを小型化することができる。
【図面の簡単な説明】
【００２３】
【図１】図１は、本発明の超音波振動子ユニットが適用される超音波内視鏡を用いる超音波検査システムの構成の一例を示す概略構成図である。
【図２】図２は、図１に示す超音波内視鏡の内視鏡先端部を示す部分拡大平面図である。
【図３】図３は、図２に示す内視鏡先端部を図２に示すＩ−Ｉ線矢視図であり、図２に示す超音波内視鏡の内視鏡先端部の部分断面図である。
【図４】図４は、図３に示す内視鏡先端部のＩＩ−ＩＩ線矢視図であり、図３に示す超音波内視鏡の内視鏡先端部の超音波観察部の一例の横断面図である。
【図５】図５は、実施の形態２の超音波内視鏡の内視鏡先端部をその長手方向に、かつ内視鏡先端部の幅方向の中央を通るように切断した縦断面図である。
【図６】図６は、図５に示す内視鏡先端部のＩＩＩ−ＩＩＩ線矢視図であり、図５に示す超音波内視鏡の内視鏡先端部の超音波観察部の一例の横断面図である。
【発明を実施するための形態】
【００２４】
以下に、添付の図面に示す好適な実施形態に基づいて、本発明の超音波振動子ユニットを詳細に説明する。
【００２５】
図１に、本発明の超音波振動子ユニットが適用される超音波内視鏡を用いる超音波検査システムの構成の一例を示す概略構成図を示す。
超音波検査システム１０は、超音波検査システム１０の先端に配設され、被検体の体腔内を撮影する超音波内視鏡１２と、超音波画像を生成する超音波用プロセッサ装置１４と、内視鏡画像を生成する内視鏡用プロセッサ装置１６と、被検体の体腔内を照明するための照明光を、ライトガイド（図示せず）を経由して超音波内視鏡１２に供給する光源装置１８と、超音波用プロセッサ装置１４及び内視鏡用プロセッサ装置１６から取得した超音波画像及び内視鏡画像を表示するモニタ２０と、を有する。
更に、超音波検査システム１０は、光源装置１８に格納されている、超音波内視鏡１２に水を供給する送水ポンプ（図示せず）と、送水ポンプを用いて超音波内視鏡１２に供給される水を貯留する送水タンク２２と、光源装置１８に格納されている、超音波内視鏡１２に空気を供給するための送気ポンプ（図示せず）と、後述する超音波内視鏡１２の内視鏡先端部４０から観察対象を吸引するための吸引ポンプ２４と、を有する。
超音波用プロセッサ装置１４、内視鏡用プロセッサ装置１６、光源装置１８、送水タンク２２、吸引ポンプ２４、送水ポンプ及び送気ポンプは、超音波内視鏡１２の後述するユニバーサルコード３０を用いて、超音波内視鏡１２と接続される。
【００２６】
超音波検査システム１０の超音波内視鏡１２は、胆嚢及び膵臓などの対象を観察するために先端側を被検体の体腔内に挿入されるものであって、超音波内視鏡１２の先端側に配設された、被検体の体腔内に挿入するための挿入部２６と、挿入部２６の基端部に連設され、医師及び技師などの術者が操作を行うための操作部２８と、操作部２８に一端が接続され、他端に超音波内視鏡１２を制御するための複数の装置と接続されたユニバーサルコード３０とからなる。
【００２７】
超音波検査システム１０の超音波用プロセッサ装置１４は、後述する超音波内視鏡１２の挿入部２６の内視鏡先端部４０の超音波観察部５８の超音波振動子ユニット６８の超音波振動子アレイ１００に超音波を発生させるための超音波信号（データ）を生成して供給するものである。また、超音波用プロセッサ装置１４は、超音波が放射された観察対象部位から反射されたエコー信号（データ）を超音波振動子アレイ１００によって受信して取得し、取得したエコー信号に対して各種の信号（データ）処理を施してモニタ２０に表示される超音波画像を生成するためのものである。
【００２８】
超音波検査システム１０の内視鏡用プロセッサ装置１６は、後述する超音波内視鏡１２の挿入部２６の内視鏡先端部４０の内視鏡観察部５６において光源装置１８からの照明光によって照明された観察対象部位から取得された撮像画像信号（データ）を受信して取得し、取得した画像信号に対して各種の信号（データ）処理、及び画像処理を施して、モニタ２０に表示される内視鏡画像を生成するためのものである。
なお、これらのプロセッサ装置１４、及び１６は、ＰＣ（Personal computer：パーソナルコンピュータ）等のプロセッサによって構成されるものであっても良い。
【００２９】
光源装置１８は、後述する超音波内視鏡１２の内視鏡観察部５６によって体腔内の観察対象部位を撮像して画像信号を取得するために、赤光（Ｒ）、緑光（Ｇ）、及び青光（Ｂ）等の３原色光からなる白色光や特定波長光等の照明光を、発生させて、超音波内視鏡１２に供給し、超音波内視鏡１２内のライトガイド（図示せず）等によって伝搬し、超音波内視鏡１２の挿入部２６の先端部４０の内視鏡観察部５６から出射して、体腔内の観察対象部位を照明するためのものである。
【００３０】
超音波検査システム１０のモニタ２０は、超音波用プロセッサ装置１４及び内視鏡用プロセッサ装置１６によって生成された各映像信号を受けて超音波画像及び内視鏡画像を表示するものである。モニタ２０は、超音波画像及び内視鏡画像のうちいずれか一方のみの画像を適宜切り替えて表示すること及び両方の画像を同時に表示することが可能である。なお、超音波画像を表示するためのモニタと内視鏡画像を表示するためのモニタとは、別個に設けられても良いし、他の任意の形態を用いて、超音波画像と内視鏡画像とを表示するようにしても良い。
【００３１】
超音波内視鏡１２の操作部２８は、後述する挿入部２６の内視鏡先端部４０に送気する、又は送水するためのスイッチである送気送水ボタン３２と、超音波内視鏡１２の長手方向の内視鏡先端部４０側において送気送水ボタン３２に並設され、内視鏡先端部４０から導出する処置具（図示せず）の穿刺針の先端において観察対象を穿刺しながら吸引するためのスイッチである吸引ボタン３４と、を有する。
更に、超音波内視鏡１２の操作部２８は、送気送水ボタン３２及び吸引ボタン３４を挟むように、操作部２８の両側面に１つずつ配設される一対のノブであって、それぞれのノブを回動させることによって後述の湾曲部４２を上下左右に自在に湾曲させるアングルノブ３６と、送気送水ボタン３２と挿入部２６との間に配設される、内視鏡先端部４０から導出する鉗子、穿刺針及び高周波メスなどの処置具を挿入する処置具挿入口（鉗子口）３８とを有する。
【００３２】
超音波内視鏡１２の挿入部２６は、先端側から順に、後述する超音波振動子ユニット６８の超音波振動子９８及び撮像部６４の観察窓７６などを有する、硬質部材で形成される内視鏡先端部（先端硬質部）４０と、内視鏡先端部４０の基端側に連設された湾曲自在の湾曲部４２と、湾曲部４２の基端側と操作部２８の先端側との間を連結し、細長かつ長尺の可撓性を有する軟性部４４とからなる。
【００３３】
超音波内視鏡１２のユニバーサルコード３０は、超音波内視鏡１２と超音波内視鏡１２を制御するための複数の装置とを接続するものであって、超音波内視鏡１２の後端に備えられるものである。ユニバーサルコード３０として、超音波内視鏡１２の先端部に対する他端部は、超音波用プロセッサ装置１４に接続される超音波用コネクタ４６及び内視鏡用プロセッサ装置１６に接続される内視鏡用コネクタ４８と、光源装置１８と、送水タンク２２と、吸引ポンプ２４と、送水ポンプ（図示せず）と、送気ポンプ（図示せず）とに接続される光源用コネクタ５０が着脱自在に接続される。また、光源用コネクタ５０には、他端が送水タンク２２に接続する送気送水用のチューブ５２ａと、他端が吸引ポンプ２４に接続される吸引用のチューブ５２ｂとが接続される。
【００３４】
操作部２８の送気送水ボタン３２は、挿入部２６の内視鏡先端部４０への空気又は水の供給を制御するスイッチであって、超音波内視鏡１２の内部を通り、一端が後述する内視鏡先端部４０の内視鏡観察部５６の送気送水ノズル６２に通じる管路（図示せず）の他端及び一端が、送水タンク２２及び送水ポンプ（図示せず）又は送気ポンプ（図示せず）に通じる管路（図示せず）の他端に接続されるものである。送気送水ボタン３２を押すことで送水ポンプ又は送気ポンプと、送気送水ノズル６２及び送水タンク２２に連通する管路とが接続されて、送水タンク２２に貯留されている水又は空気が送気送水ノズル６２に供給される。なお、送水ポンプ及び送気ポンプの管路接続切換え方法は、送気送水ボタン３２を２段切換え式で構成するなど、適宜周知の方法を用いることができる。
【００３５】
操作部２８の吸引ボタン３４は、挿入部２６の内視鏡先端部４０における吸引動作を制御するスイッチであって、超音波内視鏡１２の内部を通り、一端が後述する内視鏡先端部４０の処置具導出口６０に通じる処置具挿通チャンネル６１の他端及び一端が吸引ポンプ２４に通じる管路（図示せず）の他端に接続される。吸引ボタン３４は、上述した送気送水ボタン３２と同様に、吸引ボタン３４を押すことで、処置具挿通チャンネル６１と吸引ポンプ２４に通じる管路とが接続されて、処置具導出口６０から吸引が行われる。また、処置具挿通チャンネル６１に穿刺針を有する処置具（図示せず）を挿通している際には、吸引ボタン３４を押すことで、穿刺針の先端から観察対象の組織の吸引が行われる。
【００３６】
図２に、図１に示す超音波内視鏡の内視鏡先端部を示す部分拡大平面図を示す。また、図３に、図２に示す内視鏡先端部を図２に示すＩ−Ｉ線矢視図であり、図２に示す超音波内視鏡の内視鏡先端部の部分断面図を示す。図２及び図３に示すように、挿入部２６の内視鏡先端部４０は、その基端側において、内視鏡先端部４０の底面に対して内視鏡先端部４０の基端方向に大きな仰角を有する斜面である斜面部５４が形成され、その斜面部５４に設けられる、内視鏡画像を取得するための内視鏡観察部５６と、内視鏡先端部４０の先端側に設けられる、超音波画像を取得するための超音波観察部５８と、内視鏡観察部５６と超音波観察部５８との間に設けられる、処置具（図示せず）を被検体の体腔内に導出する処置具導出口６０と、操作部２８の処置具挿入口３８と処置具導出口６０とに連通し、処置具を挿通させるための処置具挿通チャンネル６１と、内視鏡観察部５６と処置具導出口６０との間に設けられる、内視鏡観察部５６に付着した異物などを洗浄するための送気送水ノズル６２とを有する。
【００３７】
挿入部２６の湾曲部４２は、複数の湾曲駒を連結されてなるものであって、内視鏡先端部４０の基端側に連設される。また、湾曲部４２は、操作部２８に設けられた一対のアングルノブ３６の回動により、上下左右に自在に湾曲することができる。このように、湾曲部４２は、アングルノブ３６を操作手段として用いることによって遠隔的に、かつ自在に湾曲操作されるため、内視鏡先端部４０を操作者の望んだ方向に向けることが可能である。
【００３８】
挿入部２６の軟性部４４は、湾曲部４２の基端側と操作部２８の先端側との間を連結し、細長かつ長尺の可撓性を有するものであるため、複雑な構造を有する被検体の体腔内であっても、湾曲操作された湾曲部４２に追従して、挿入されることが可能である。
【００３９】
内視鏡先端部４０の内視鏡観察部５６は、斜面部５４の中央から超音波内視鏡１２の内部を通るように設けられる、内視鏡画像を撮像する撮像部６４と、撮像部６４に並設される、光源装置１８からの照明光を用いて観察対象部位を照明するための照明部６６とを有する。
【００４０】
図４は、図３に示す内視鏡先端部のＩＩ−ＩＩ線矢視図であり、図３に示す超音波内視鏡の先端部の超音波観察部の一例の横断面図を示す。胆嚢及び膵臓などの対象を観察するために被検体の体内に挿入される内視鏡先端部４０の超音波観察部５８は、超音波信号を観察対象に対して送受信する超音波振動子ユニット６８と、超音波振動子ユニット６８に対して超音波の駆動信号を送信する、かつ超音波振動子ユニット６８から受信する観察対象からの反射波の信号を解析して超音波画像を生成する超音波用プロセッサ装置１４に接続するユニバーサルコード３０とを電気的に接続する複数のケーブル７０からなるケーブルばらけ部７２と、ケーブルばらけ部７２を纏めるケーブル被覆部７４とを有する。
なお、図４は、本発明の説明のために示した模式図であって、細部を詳細に記載するものではないため、図４中に示された各々の部材の配置場所、大きさ及び形状は、本発明の主旨を逸脱しない程度に適宜変更してもよいのはもちろんである。
【００４１】
内視鏡先端部４０の処置具導出口６０は、撮像部６４の先端側に設けられるものであって、処置具導出口６０からは、操作部２８の処置具挿入口３８から挿入されて処置具挿通チャンネル６１を通る処置具（図示せず）が導出される。
また、内視鏡先端部４０の送気送水ノズル６２は、撮像部６４と処置具導出口６０との間に設けられるものであって、後述する撮像部６４の観察窓７６を洗浄するためのものである。送気送水ノズル６２には、操作部２８の送気送水ボタン３２を押すことによって、超音波内視鏡１２内に設けられた送気又は送水のための流路（図示せず）を通って、送気ポンプ（図示せず）又は送水ポンプ（図示せず）から空気又は水が送られる。
また、内視鏡先端部４０のケーブルばらけ部７２は、超音波振動子ユニット６８に電気的に接続する複数のケーブル７０からなるものであり、ケーブル被覆部７４において複数のケーブル７０が纏められていない部分である。ケーブルばらけ部７２は、超音波振動子ユニット６８とケーブル７０との配線部分における、半田付け又は導電性ペーストなどの電気的な接続手段を用いて固定されるものであるため、機械的な外力に弱く、断線が起こり易い。そのため、ケーブルばらけ部７２は、断線を防ぐために、後述する超音波振動子ユニット６８の充填剤層９２で固定される。
【００４２】
内視鏡観察部５６の撮像部６４は、後方に配設される撮像光学系を保護するための、斜面部５４に配設される透明な観察窓７６と、観察窓７６の後方であって内視鏡先端部４０の内部に配設される、観察光学系の対物レンズ７８と、内視鏡先端部４０の内部であって対物レンズ７８の結像位置に配置されたＣＣＤ（Charge coupled device：電荷結合素子）及びＣＭＯＳ（Complementary metal-oxide semiconductor：相補形金属酸化膜半導体）などの撮像素子８０と、超音波内視鏡１２の内部の管路（図示せず）を通って撮像素子８０と光源装置１８に接続するユニバーサルコード３０とに電気的に接続する信号ケーブル８２とを有する。
【００４３】
内視鏡観察部５６の照明部６６は、撮像部６４に並設されるものであって、斜面部５４において観察窓７６の両側に並設される、後方に配設される照明光学系を保護する透明な一対の照明窓８４と、照明窓８４の後方であって内視鏡先端部４０の内部に配設される、照明窓８４に光源装置１８からの照明光を伝送するためのライトガイド（図示せず）とを有する。
【００４４】
撮像部６４の観察窓７６は、斜面部５４に配設されるものであって、観察窓７６から入射した観察対象の像光は、対物レンズ７８で撮像素子８０の撮像面に結像される。
撮像素子８０は、観察窓７６及び対物レンズ７８を透過して撮像素子８０の撮像面に結像された観察対象の像光を光電変換して、内視鏡用プロセッサ装置１６に撮像信号を出力する。撮像素子８０から出力された撮像信号は、信号ケーブル８２とユニバーサルコード３０とを経由して内視鏡用プロセッサ装置１６に伝送され、内視鏡用プロセッサ装置１６は、伝送された撮像信号に対して、信号処理及び画像処理を施した後に、内視鏡光学画像としてモニタ２０に表示する。
【００４５】
照明部６６の照明窓８４は、撮像部６４の観察窓７６の両側に並設される一対のものであって、光源装置１８からの照明光を観察窓７６まで導くライトガイド（図示せず）の出射端が接続される。ライトガイドは、超音波内視鏡１２の内部を通って、照明窓８４から光源装置１８まで延設されるものであって、ライトガイドの入射端は、光源装置１８内に格納されている。光源装置１８で発せられた照明光は、ライトガイドを伝って照明窓８４から観察対象に照射される。
【００４６】
超音波観察部５８の超音波振動子ユニット６８は、超音波観察部５８の先端側の上部に配設され、超音波を送受信するものであって、積層構造を有する積層体８６と、積層体８６と複数のケーブル７０からなるケーブルばらけ部７２とに電気的に接続するケーブル配線部８８と、超音波観察部５８の外部から保護するために積層体８６の側面及び下側面とケーブル配線部８８とを囲うハウジング９０と、ケーブル配線部８８の配線部分を固定するために積層体８６とハウジング９０との間の隙間を埋める充填剤層９２とを有する。
【００４７】
超音波振動子ユニット６８の積層体８６は、積層構造を有しており、最も上部に位置して、後述する超音波振動子アレイ１００から出力された超音波又は観察対象から反射した超音波を集束するための音響レンズ９４と、音響レンズ９４の下に位置して超音波振動子アレイ１００を構成する超音波振動子９８と観察対象との音響インピーダンスを整合するための音響整合層９６と、音響整合層９６の下に位置して、超音波の送受信をする細長の超音波振動子９８がアレイ状に複数整列した超音波振動子アレイ１００と、超音波振動子アレイ１００の下に位置してその超音波振動子アレイ１００を機械的に支えるとともに、超音波振動子アレイ１００の下側に伝播した超音波を減衰させるバッキング材層１０２とを有する。図３及び図４に示すように、音響整合層９６及び超音波振動子アレイ１００は、半円筒状に配設され、音響レンズ９４は、半円筒状に配設された音響整合層９６に沿って配設される。また、図３に示される断面図において、バッキング材層１０２は半円柱形状をなす。
【００４８】
超音波振動子ユニット６８のケーブル配線部８８は、後述する超音波振動子アレイ１００の電極部１０６及びケーブルばらけ部７２を構成する複数のケーブル７０と電気的に接続し、かつ後述するバッキング材層１０２の幅方向の側面に形成される階段状の段差部１１０に沿って配設されるものであって、段差部１１０のそれぞれの段に対応する箇所において、複数の電極パッドが整列した配線パッド列１０４を有する。すなわち、ケーブル配線部８８の有する複数の配線パッド列１０４はバッキング材層１０２の段差部１１０に沿って、下端から階段状に整列する。また、ケーブル配線部８８は、硬質な配線基板を用いて構成されていても良いが、配設の容易性から、フレキシブルプリント配線基板などの可撓性の配線手段を用いて構成されていることが好ましい。
【００４９】
超音波振動子ユニット６８のハウジング９０は、硬質樹脂などの硬質部材からなり、積層体８６の側面及び下側面とケーブル配線部８８とを外部から保護するものであり、後述する積層体８６の音響レンズ９４の、積層体８６の幅方向の側面に当接し、かつ積層体８６の幅方向の側面及び下部と、ケーブル配線部８８とを囲うように配設される。
【００５０】
超音波振動子ユニット６８の充填剤層９２は、ハウジング９０と、積層体８６、特にそのバッキング材層１０２と、ケーブル配線部８８との間の隙間を埋めるように設けられるものであって、ケーブル配線部８８とケーブル７０との配線部分を固定して、その部分の断線を防止するものである。
【００５１】
更に、超音波振動子ユニット６８の充填剤層９２は、積層体８６の超音波振動子アレイ１００から発振されて、その下側に伝播した超音波がバッキング材層１０２との境界において反射しないように、かつ超音波振動子アレイ１００から発振された超音波が観察対象又はその周辺部において反射して超音波振動子アレイ１００の下側に伝播した超音波を十分に減衰させるように、バッキング材層１０２との音響インピーダンスが整合していることが好ましい。そのため、充填剤層９２の音響インピーダンスをＺｐとし、かつバッキング材層１０２の音響インピーダンスをＺｂとしたときに、下記式（１）を用いて表される、充填剤層９２とバッキング材層１０２との音響インピーダンス反射率Ｑが５０％以下であることが好ましい。
Ｑ＝１００×｜Ｚｐ−Ｚｂ｜／（Ｚｐ＋Ｚｂ）        …（１）
ただし、音響インピーダンスＺｐ及びＺｂの単位は、ｋｇ／ｍ２ｓである。なお、ｋｇはキログラムを表し、ｍはメートルを表し、ｓは秒を表す。
また、充填剤層９２とバッキング材層１０２との音響インピーダンス反射率Ｑが５０％以下であるようにするために、例えば、充填剤層９２の材料に、バッキング材層１０２と同じ材料の充填剤を用いても良いし、バッキング材層１０２の材料としてフェライト又はセラミックスなどの超音波減衰材が添加された硬質ゴムなどが用いられる場合には、充填剤層９２として、セラミックスなどの熱伝導部材が添加されたエポキシ樹脂などを用いて良い。
上記の音響インピーダンス反射率は、充填剤層９２とバッキング材層１０２との境界面における超音波（音響ビーム）の反射のし易さを表す指標であり、すなわち、値が０％に近いほど、充填剤層９２の音響インピーダンスとバッキング材層１０２の音響インピーダンスとが整合していることを示す。上記の音響インピーダンス反射率が５０％以下程度であれば、超音波振動子アレイ１００の下側に伝播した超音波が原因となる雑音は、超音波振動子アレイ１００において受信される超音波信号を用いた、超音波用プロセッサ装置１４における超音波画像の生成において、支障が出ない程度に処理をすることができる。
【００５２】
また、超音波振動子ユニット６８の積層体８６の超音波振動子アレイ１００から超音波を発振する際に、超音波用プロセッサ装置１４から超音波振動子アレイ１００に伝送される駆動信号が熱エネルギーとなり、超音波振動子アレイ１００が発熱するため、充填剤層９２は放熱性を有することが好ましい。そのため、充填剤層９２の熱伝導率が１．０Ｗ／（ｍ・Ｋ）以上であることが好ましく、例えば、充填剤層９２としてセラミックスなどの熱伝導部材が添加されたエポキシ樹脂などを用いて良い。ここで、Ｗはワットを表し、ｍはメートルを表し、Ｋはケルビンを表す。
【００５３】
積層体８６の音響レンズ９４は、超音波を集束させるためのものであって、更に、その下に積層される音響整合層９６、超音波振動子アレイ１００及びバッキング材層１０２を外部から保護するために、音響整合層９６、超音波振動子アレイ１００及びバッキング材層１０２の上面又は側面にそれぞれ当接するように、かつバッキング材層１０２の幅方向の側面の途中までを覆うように配設される。また、音響レンズ９４は、超音波振動子アレイ１００から発振された超音波を観察対象に向けて集束するために、又は観察対象から反射された超音波を超音波振動子アレイ１００に向けて集束するために、積層体８６の幅方向において、超音波振動子アレイ１００の上部を覆うような凸形状を有する。なお、音響レンズ９４は、後述する超音波振動子アレイ１００の電極部１０６及び上部電極部１０８の配線作業が完了した後に、上述の位置に配設される。また、音響レンズ９４は、例えば、ミラブル型シリコンゴム又は液状シリコンゴムなどのシリコン系樹脂、ブタジエン系樹脂又はポリウレタン系樹脂などからなる。更に、超音波観察の観察対象である被検体と超音波振動子アレイ１００を構成する超音波振動子９８との音響インピーダンスの整合をとり、被検体への超音波の透過率を高めるため、音響レンズ９４には、必要に応じて酸化チタン、アルミナ又はシリカ等の粉末が混合される。
【００５４】
積層体８６の音響整合層９６は、エポキシ樹脂などからなる、超音波振動子アレイ１００と観察対象との音響インピーダンスを整合するものであって、音響整合層９６の下面が超音波振動子アレイ１００の上面と当接するように設置されるが、積層体８６の幅方向において、超音波振動子アレイ１００と比べて短い幅を有するため、超音波振動子アレイ１００の幅方向の両端部又はいずれか一方の端部を除くように、超音波振動子アレイ１００の上面を部分的に覆う。そのため、超音波振動子アレイ１００から送信された超音波のうち、対象の観察に寄与する超音波は、音響整合層９６を通過した超音波のみであり、すなわち、音響整合層９６の幅方向の側面よりも内側の領域にある超音波振動子アレイ１００から送信された超音波のみである。
【００５５】
積層体８６の超音波振動子アレイ１００は、超音波振動子９８が半円筒状に整列して、超音波信号を観察対象に送信する、及び観察対象から反射した超音波を受信して電気信号に変換するものであり、超音波振動子アレイ１００の下面がバッキング材層１０２の上面と当接するように配置される。超音波振動子アレイ１００は、超音波振動子アレイ１００を構成する複数の超音波振動子９８の配列面に対して垂直となる、超音波振動子アレイ１００の両側面の下側において、複数の超音波振動子９８及びケーブル配線部８８と電気的に接続される電極部１０６を有し、超音波振動子アレイ１００の上面、かつ音響整合層９６に覆われておらず、音響レンズ９４のみに覆われている面において、超音波振動子アレイ１００を構成する複数の超音波振動子９８と超音波内視鏡１２内に設けられる接地電極（図示せず）とに、電気的に接続する上部電極部１０８と、を有する。
ここで、電極部１０６が配設される位置は、ケーブル配線部８８と電極部１０６との配線をする際の作業性を損なわない程度であれば、複数の超音波振動子９８の配列面に対して厳密に垂直となる、超音波振動子アレイ１００の両側面の下側である必要はない。そのため、本発明において、超音波振動子アレイ１００を構成する複数の超音波振動子９８の配列面に対して垂直とは、複数の超音波振動子９８の配列面の法線に対してマイナス５度からプラス５度範囲内の精度で、垂直または略垂直であることを意味する。
なお、超音波振動子アレイ１００を構成する複数の超音波振動子９８は、圧電素子により構成されるものであり、チタン酸ジルコン酸鉛又はポリフッ化ビニリデンなどの周知の圧電素子を用いることができる。また、超音波振動子アレイ１００の電極部１０６とケーブル配線部８８との、及び上部電極部１０８と配線との電気的な接続の方法は、配線作業の作業性を損なわない方法であれば、ワイヤーボンディング、半田付け、熱溶着、異方導電性シート及び異方導電性ペーストを用いた方法などの周知の方法を用いることができる。
【００５６】
本発明の特徴である、積層体８６のバッキング材層１０２は、超音波振動子アレイ１００を機械的に支えるとともに、超音波振動子アレイ１００の振動を抑え、更に、超音波振動子アレイ１００の下側に伝播した超音波を減衰させるものであって、バッキング材層１０２の上面が超音波振動子アレイ１００の下面に当接するように配設され、積層体８６の幅方向において、超音波振動子アレイ１００よりも長い幅を有する。また、バッキング材層１０２は、超音波振動子アレイ１００の電極部１０６とケーブルばらけ部７２のケーブル７０との配線に要する空間を広く確保するために、バッキング材層１０２の幅方向の側面において、超音波振動子アレイ１００を構成する複数の超音波振動子９８の配列面とは逆側に向かって細くなる階段状の段差部１１０を有する。なお、バッキング材層１０２は、硬質ゴムなどの剛性を有する材料からなり、フェライト又はセラミックスなどの超音波減衰材が必要に応じて添加される。
【００５７】
超音波振動子アレイ１００を構成する複数の超音波振動子９８の配列面に対して垂直となる、超音波振動子アレイ１００の両側面の下側に配設される電極部１０６は、ケーブル配線部８８の上端と電気的に接続するものであり、超音波検査システム１０の超音波用プロセッサ１２からの超音波の駆動信号を、ケーブルばらけ部７２のケーブル７０を介して超音波振動子アレイ１００に送信する、及び超音波振動子アレイ１００が、反射された超音波を受信して出力した圧電気の信号を、ケーブル７０を介して、受信した超音波信号の解析と超音波画像の生成とを行う超音波用プロセッサ１２に送信するために用いられる。このように、電極部１０６は、超音波振動子アレイ１００の側面に配設される構造であるため、電極部１０６への配線を比較的容易に行うことができ、積層体８６の製造の成功率を向上させることができる。なお、ケーブル配線部８８とケーブル７０との電気的な接続の方法は、配線作業の作業性を損なわない方法であれば、ワイヤーボンディング、半田付け、熱溶着、異方導電性シート及び異方導電性ペーストを用いた方法などの周知の方法を用いることができる。また、電極部１０６は、ケーブル配線部８８がバッキング材層１０２の幅方向の側面に沿って配設されるように、すなわち、複数の超音波振動子９８の配列面に対して垂直となる、超音波振動子アレイ１００の端面側に設けられていればよく、バッキング材層１０２の幅方向の側面の上端部まで延設されることで、ケーブル配線部８８の一端と、バッキング材層１０２の幅方向の側面において接続されていても良い。
【００５８】
超音波振動子アレイ１００の上面であって、音響整合層９６に覆われておらず、音響レンズ９４のみに覆われている面に配設される上部電極部１０８は、振動子アレイ１００を構成する複数の各超音波振動子９８に接続する１つの電極パッドからなる、超音波内視鏡１２内に設けられる接地電極（図示せず）に電気的に接続するものであり、超音波用プロセッサ装置１４から送信された、超音波振動子アレイ１００の両側面の下側に配設される電極部１０６から超音波振動子アレイ１００を構成するそれぞれの超音波振動子９８に送信された超音波を発振するための駆動信号を、超音波内視鏡１２内に設けられた接地電極を通じて接地するために用いられる。また、上部電極部１０８は、超音波振動子アレイ１００の上面に配設されるものであるが、上述のように、音響整合層９６の幅方向の側面よりも外側の領域に配設されているので、超音波振動子アレイ１００によって行われる超音波の送受信には特に影響がない。なお、上部電極部１０８は、超音波振動子アレイ１００を構成する複数の各超音波振動子９８を接地できれば良く、また、上部電極部１０８における配線作業の作業効率を妨げないものであれば、必ずしも１つの電極パッドで構成される必要はないことはもちろんである。
【００５９】
バッキング材層１０２の幅方向の側面に形成される段差部１１０は、電極部１０６とケーブル７０との配線に要する空間を広く確保するために、かつ電極部１０６に配線された複数のケーブル７０同士が互いに重ならないようにするために設けられるものである。バッキング材層１０２は、超音波振動子アレイ１００の下側に伝播した、超音波振動子アレイ１００からの超音波及び観察対象からの反射波を減衰する作用を有するため、段差部１１０は、超音波振動子アレイ１００から発振される超音波の出力に影響が出ないように設けられることが好ましい。このため、段差部１１０は、バッキング材層１０２と超音波振動子アレイ１００とが当接する面からの厚さが３ｍｍ以内の領域においては、バッキング材層１０２の幅方向の側面であって、音響整合層９６の幅方向の側面よりも外側の領域にのみ形成されることが好ましい。また、段差部１１０は、バッキング材層１０２と超音波振動子アレイ１００とが当接する面からの厚さが３ｍｍを超える領域においては、バッキング材層１０２の幅方向の側面であって、音響整合層９６の幅方向の側面よりも内側の領域に形成されることが可能である。なお、段差部１１０のそれぞれの段差の高さ及びバッキング材層１０２の幅方向における段差の幅は、超音波振動子アレイ１００を構成する複数の超音波振動子９８の配列面とは逆側に向かって細くなり、かつ段差部１１０に沿って配設されるケーブル配線部８８にケーブルばらけ部７２のケーブル７０を配線する際の作業性を損なわない程度であれば、適宜変更されて良い。
【００６０】
以上のように、本実施形態においては、積層体８６のバッキング材層１０２の段差部１１０に沿って、ケーブル配線部８８の配線パッド列１０４が階段状に整列するので、ケーブルばらけ部７２のケーブル７０とケーブル配線部８８とを配線するための空間を十分に確保することができ、かつケーブル配線部８８に配線される複数のケーブル７０同士が互いに重ならなくなり、配線作業における作業性が向上する。また、ケーブル７０とケーブル配線部８８との配線部分が充填剤層９２で埋められるので、超音波内視鏡１２が製造される際及び超音波内視鏡１２が使用される際などにケーブル７０が断線する危険性が低くなる。更に、ケーブル配線部８８は、超音波振動子アレイ１００の電極部１０６と、超音波振動子アレイ１００の幅方向の端面側で接続するため、ケーブル配線部８８と電極部１０６との配線が比較的容易であり、超音波振動子ユニット６８を製造する際の成功率を向上させることができる。
【００６１】
図１〜図４に示す実施の形態１の超音波観察部５８の超音波振動子ユニット６８では、積層体８６のバッキング材層１０２が段差部１１０を有することで、ケーブル配線部８８とケーブル７０との配線に要する空間を十分に確保することができるとともに、ケーブル配線部８８に接続する複数のケーブル７０同士が互いに重ならないようにすることができたが、バッキング材層１０２が有する階段形状の段差部１１０を傾斜形状にしても、同様の効果を奏することができる。
【００６２】
図５に、本実施形態（実施の形態２）の超音波振動子ユニットを有する内視鏡先端部を、その長手方向に、かつ超音波観察部の幅方向の中心を通るように切った断面図を示す。また、図６に、図５に示す内視鏡先端部のＩＩＩ−ＩＩＩ線矢視図であり、図５に示す超音波内視鏡の内視鏡先端部の超音波観察部の一例の横断面図を示す。図５及び図６に示す内視鏡先端部２４０の超音波観察部２５８は、超音波振動子ユニット２６８のバッキング材層２０２が階段形状を有さないことを除いて、図１〜図４に示す超音波内視鏡１２の超音波観察部５８と同一の構造を有する。
【００６３】
図６に示すように、積層体２８６のバッキング材層２０２は、超音波振動子アレイ１００の電極部１０６とケーブルばらけ部７２のケーブル７０との配線に要する空間を広く確保するために、バッキング材層２０２の幅方向の側面において、超音波振動子アレイ１００を構成する複数の超音波振動子９８の配列面とは逆側に向かって傾斜状に細くなる傾斜部１１２を有する。
また、超音波振動子アレイ１００の電極部１０６とケーブル７０とに電気的に接続されるケーブル配線部８８は、バッキング材層２０２の幅方向の側面に形成された傾斜部１１２に沿って配設される。
【００６４】
バッキング材層２０２の幅方向の側面に形成される傾斜部１１２は、超音波振動子アレイ１００の電極部１０６とケーブルばらけ部７２のケーブル７０との配線に要する空間を広く確保し、かつ電極部１０６に電気的に接続された複数のケーブル７０同士が互いに重ならないように設けられるものである。バッキング材層２０２は、超音波振動子アレイ１００の下側に伝播した超音波を減衰する作用を有するため、傾斜部１１２は、図４に示される段差部１１０と同様に、超音波振動子アレイ１００から発振される超音波の出力に影響が出ないように設けられることが好ましい。このため、傾斜部１１２は、バッキング材層２０２と超音波振動子アレイ１００とが当接する面からの厚さが３ｍｍ以内の領域においては、バッキング材層２０２の幅方向の側面であって、音響整合層９６の幅方向の側面よりも外側の領域にのみ形成されることが好ましい。また、傾斜部１１２は、バッキング材層２０２と超音波振動子アレイ１００とが当接する面からの厚さが３ｍｍを超える領域においては、バッキング材層２０２の幅方向の側面であって、音響整合層９６の幅方向の側面よりも内側の領域に形成されることが可能である。なお、傾斜部１１２の傾斜の傾きは、超音波振動子アレイ１００を構成する複数の超音波振動子９８の配列面とは逆側に向かって細くなり、かつ傾斜部１１２に沿って配設されるケーブル配線部８８にケーブル７０を配線する際の作業性を損なわない程度であれば、適宜変更されて良く、傾斜部１１２の傾斜の途中において、その傾きが異なっても良い。
【００６５】
以上のように、積層体２８６のバッキング材層２０２の幅方向の側面において、超音波振動子アレイ１００を構成する複数の超音波振動子９８の配列面とは逆側に向かって傾斜状に形成された傾斜部１１２に沿って、超音波振動子アレイ１００の電極部１０６とケーブルばらけ部７２のケーブル７０とに電気的に接続されるケーブル配線部８８を配設することで、電極部１０６とケーブル７０とを配線するための十分な空間を確保でき、配線された複数のケーブル７０同士が互いに重ならないようにすることができる。
【００６６】
以上、本発明について詳細に説明したが、本発明は上記実施形態に限定されず、本発明の主旨を逸脱しない範囲において、種々の改良や変更をしても良いのはもちろんである。
【符号の説明】
【００６７】
１０  超音波検査システム
１２  超音波内視鏡
１４  超音波用プロセッサ装置
１６  内視鏡用プロセッサ装置
１８  光源装置
２０  モニタ
２２  送水タンク
２４  吸引ポンプ
２６  挿入部
２８  操作部
３０  ユニバーサルコード
３２  送気送水ボタン
３４  吸引ボタン
３６  アングルノブ
３８  処置具挿入口
４０、２４０  内視鏡先端部
４２  湾曲部
４４  軟性部
４６  超音波用コネクタ
４８  内視鏡用コネクタ
５０  光源用コネクタ
５２ａ、５２ｂ  チューブ
５４  斜面部
５６  内視鏡観察部
５８、２５８  超音波観察部
６０  処置具導出口
６１  処置具挿通チャンネル
６２  送気送水ノズル
６４  撮像部
６６  照明部
６８、２６８  超音波振動子ユニット
７０  ケーブル
７２  ケーブルばらけ部
７４  ケーブル被覆部
７６  観察窓
７８  対物レンズ
８０  撮像素子
８２  信号ケーブル
８４  照明窓
８６、２８６  積層体
８８  ケーブル配線部
９０  ハウジング
９２  充填剤層
９４  音響レンズ
９６  音響整合層
９８  超音波振動子
１００  超音波振動子アレイ
１０２、２０２  バッキング材層
１０４  配線パッド列
１０６  電極部
１０８  上部電極部
１１０  段差部
１１２  傾斜部
【図１】
0006677799.tif 000002
【図２】
0006677799.tif 000003
【図３】
0006677799.tif 000004
【図４】
0006677799.tif 000005
【図５】
0006677799.tif 000006
【図６】
0006677799.tif 000007